(57)【要約】【課題】メインユニットにおいて、その制御手段が動作するための記憶手段に異常が発生しても、表示や音響などの火災報知を行う、いわゆるバックアップ機能を有する火災受信機を提供する。【解決手段】制御手段１０は、通常は、メイン記憶手段１５に接続されており、このメイン記憶手段１５に異常が発生したときには、切替手段１６を作動させてメイン記憶手段１５を切り離し、サブ記憶手段１４に接続することを特徴とする。【選択図】図１
2004145665.tif 000002
【特許請求の範囲】
【請求項１】
多重伝送線を通じて火災感知器や防排煙機器などの端末器が接続され、上記火災感知器から火災信号を受けたときには、予め定められた有効／無効の設定により連動制御をする１または複数のサブユニットと、これらのサブユニットにより中継された火災信号を受けて火災報知をするメインユニットとを備える火災受信機において、
上記メインユニットは、
表示や音響などにより火災報知をする報知手段と、
火災報知における音響を停止させたり、上記サブユニット毎に連動制御の有効／無効の設定操作などをする操作手段と、
上記複数のサブユニットが接続され、これらのサブユニットと通信をする通信インタフェースと、
上記火災報知において上記報知手段より報知をさせるための基本プログラムを格納したサブ記憶手段と、
上記基本プログラムと、上記操作手段の操作を受け付ける応用プログラムとを格納したメイン記憶手段と、
上記メイン、サブ記憶手段に切替手段を介して接続され、それぞれの記憶手段から、格納されているプログラムを読み出して実行する制御手段とを備えており、
上記制御手段は、通常は、上記メイン記憶手段に接続されており、このメイン記憶手段に異常が発生したときには、上記切替手段を作動させて上記メイン記憶手段を切り離し、上記サブ記憶手段に接続することを特徴とするフェールセーフ機能を備えた火災受信機。
【請求項２】
多重伝送線を通じて火災感知器や防排煙機器などの端末器が接続され、上記火災感知器から火災信号を受けたときには、予め定められた有効／無効の設定により連動制御をする１または複数のサブユニットと、これらのサブユニットにより中継された火災信号を受けて火災報知をするメインユニットとを備える火災受信機において、
上記メインユニットは、
表示や音響などにより火災報知をする報知手段と、
火災報知における音響を停止させたり、上記サブユニット毎に連動制御の有効／無効の設定操作などをする操作手段と、
上記複数のサブユニットが接続され、これらのサブユニットと通信をする通信インタフェースとを伝送バスを通じて接続しており、
この伝送バスには、上記火災報知において上記報知手段より報知をさせる基本機能を有するサブ制御手段と、
上記基本機能と、上記操作手段の操作を受け付ける機能とを有するメイン制御手段とを切替手段を介して接続しており、
上記メイン制御手段は、通常は上記伝送バスに接続されており、異常が発生したときには、上記切替手段を作動させて、上記メイン制御手段を伝送バスから切り離し、上記サブ制御手段を上記伝送バスに接続させることを特徴とするフェールセーフ機能を備えた火災受信機。
【請求項３】
請求項１において、
上記メインユニットのサブ記憶手段は、上記メイン制御手段が上記サブ記憶手段に接続されたときに、上記サブユニットに対して連動制御の有効信号を送出するプログラムを格納しており、
上記サブユニットは、上記メインユニットから連動制御の有効信号を受けたときには、連動制御を有効と設定する信号処理部を備えることを特徴とするフェールセーフ機能を備えた火災受信機。
【請求項４】
請求項２において、
上記メインユニットのサブ制御手段は、上記伝送バスに接続されたときには、上記サブユニットに対して連動制御の有効信号を送出する機能を有しており、
上記サブユニットは、この連動制御の有効信号を受けたときには、連動制御を有効と設定する信号処理部を備えることを特徴とするフェールセーフ機能を備えた火災受信機。
【請求項５】
請求項１〜４のいずれかにおいて、
上記メインユニットの切替手段は、切替スイッチで構成されており、手動切り替えできる構成としたことを特徴とするフェールセーフ機能を備えた火災受信機。
【請求項６】
請求項１〜５のいずれかに記載の火災受信機に、１または複数の多重伝送線を接続し、各々の多重伝送線には、火災感知器や防排煙機器などの端末器を接続した構成とした火災報知システム。
【発明の詳細な説明】
【０００１】
【発明の属する技術分野】
本発明は、多重伝送線を通じて火災感知器や防排煙機器などの端末器が接続され、予め定められた有効／無効の設定により連動制御をする１または複数のサブユニットと、これらのサブユニットにより中継された火災信号を受けて火災報知をするメインユニットとを備える火災受信機、および、これを使用した火災報知システムに関する。
【０００２】
【従来の技術】
従来より、特許文献１に示すような火災受信機は広く使用されている。
この種の火災受信機は、多重伝送線を通じて火災感知器や防排煙機器などの端末器が接続された、１または複数のサブユニットと、メインユニットとで構成されている。
【０００３】
サブユニットは、メインユニットでの設定操作によって、防排煙機器などの連動制御の有効／無効の設定が保持されており、多重伝送線を通じて火災信号を受けたときには、その火災信号をメインユニットに中継する。
【０００４】
このとき、連動制御が有効と設定されていれば、多重伝送線上の防排煙機器などを作動させる。
【０００５】
メインユニットは、サブユニットにより中継された火災信号を受信したときには、表示や音響などによる火災報知を行う。
【０００６】
【特許文献１】
特開平８−４４９８０号公報
【発明が解決しようとする課題】
ところで、このような火災受信機は、メインユニットでは、その制御手段が動作するためのプログラムを格納した記憶手段や、制御手段自体が１つしかないため、これらに異常が発生すると、メインユニット自体の動作ができなくなってしまう。
【０００７】
すると、サブユニットが火災信号を受けたときには、正常に動作して連動制御や火災信号の中継はできるが、メインユニットでは火災報知ができず、フェールセーフの観点からいって問題があった。
【０００８】
本発明は、このような問題を解決すべく提案されるものであり、メインユニットにおいて、その制御手段が動作するための記憶手段や、制御手段自体に異常が発生しても、表示や音響などの火災報知を行う、いわゆるバックアップ機能を有する火災受信機、および、これを使用した火災報知システムを提供することを目的としている。
【０００９】
【課題を解決するための手段】
上記目的を達成するために、本発明の請求項１では、第１の本発明を提案しており、メインユニットは、表示や音響などにより火災報知をする報知手段と、火災報知における音響を停止させたり、サブユニット毎に連動制御の有効／無効の設定操作などをする操作手段と、複数のサブユニットが接続され、これらのサブユニットと通信をする通信インタフェースと、火災報知において報知手段より報知をさせるための基本プログラムを格納したサブ記憶手段と、基本プログラムと、操作手段の操作を受け付ける応用プログラムとを格納したメイン記憶手段と、メイン、サブ記憶手段に切替手段を介して接続され、それぞれの記憶手段から、格納されているプログラムを読み出して実行する制御手段とを備えており、制御手段は、通常は、上記メイン記憶手段に接続されており、このメイン記憶手段に異常が発生したときには、切替手段を作動させてメイン記憶手段を切り離し、サブ記憶手段に接続することを特徴とする。
【００１０】
請求項２では、第２の本発明を提案しており、メインユニットは、表示や音響などにより火災報知をする報知手段と、火災報知における音響を停止させたり、サブユニット毎に連動制御の有効／無効の設定操作などをする操作手段と、複数のサブユニットが接続され、これらのサブユニットと通信をする通信インタフェースとを伝送バスを通じて接続しており、この伝送バスには、火災報知において報知手段より報知をさせる基本機能を有するサブ制御手段と、基本機能と、操作手段の操作を受け付ける機能とを有するメイン制御手段とを切替手段を介して接続しており、メイン制御手段は、通常は伝送バスに接続されており、異常が発生したときには、切替手段を作動させて、メイン制御手段を伝送バスから切り離し、サブ制御手段を伝送バスに接続させることを特徴とする。
【００１１】
請求項３では、第１の本発明の付加機能を提案しており、メインユニットのサブ記憶手段は、メイン制御手段がサブ記憶手段に接続されたときに、サブユニットに対して連動制御の有効信号を送出するプログラムを格納しており、サブユニットは、メインユニットから連動制御の有効信号を受けたときには、連動制御を有効と設定する信号処理部を備えることを特徴とする。
【００１２】
請求項４では、第２の本発明の付加機能を提案しており、メインユニットのサブ制御手段は、伝送バスに接続されたときには、サブユニットに対して連動制御の有効信号を送出する機能を有しており、サブユニットは、この連動制御の有効信号を受けたときには、連動制御を有効と設定する信号処理部を備えることを特徴とする。
【００１３】
請求項５では、第１、第２の本発明の切替手段を手動とした例について提案しており、メインユニットの切替手段は、切替スイッチで構成されており、手動切り替えできる構成としたことを特徴とする。
【００１４】
請求項６では、第１、第２の本発明の火災受信機を適用した火災報知システムを提案しており、請求項１〜５のいずれかに記載の火災受信機に、１または複数の多重伝送線を接続し、各々の多重伝送線には、火災感知器や防排煙機器などの端末器を接続した構成としている。
【００１５】
【発明の実施の形態】
以下に、本発明の実施の形態について、図面とともに説明する。図１は、第１の本発明を使用した火災報知システムの要部構成の一例を示すブロック図である。
【００１６】
火災受信機Ｒは、メインユニット１と複数のサブユニット２とで構成されている。メインユニット１は、制御手段を構成するメインＣＰＵ１０と、報知手段を構成し、表示や音響などで報知する報知部１１と、操作手段を構成し、後述する火災報知における音響を停止させたり、サブユニット２毎に連動制御の有効／無効の設定操作などをする操作部１２と、サブユニット２とで通信をするための通信インタフェース１３と、サブ記憶手段を構成するバックアップＲＯＭ１４と、メイン記憶手段を構成するメインＲＯＭ１５と、切替手段を構成する切替部１６とを備える。
【００１７】
一方のサブユニット２は、信号処理部を構成するＣＰＵを備え、多重伝送線Ｌを通じて、火災感知器Ｓ、防排煙機器ＥＲ、地区音響装置Ｂが接続されている。
【００１８】
メインユニット１では、バックアップＲＯＭ１４には、後述する火災報知において報知部１１より報知をさせるための基本プログラムと、後述する機能パックアップ処理時にサブユニット２に連動制御有効信号を送出するプログラムとを格納している。
【００１９】
また、メインＲＯＭ１５には、上記基本プログラムに加えて、操作部１２の操作を受け付ける応用プログラムを格納している。つまり、このような応用プログラムをメインＣＰＵ１０が実行すれば、操作部１２の操作により、火災報知における音響を停止させたり、サブユニット２毎に連動制御の有効／無効の設定操作などができる。
【００２０】
バックアップＲＯＭ１４、メインＲＯＭ１５の各々は、切替部１６を介してメインＣＰＵ１０に接続されており、通常時、すなわち、メインＲＯＭ１５に異常がないときには、メインＲＯＭ１５がメインＣＰＵ１０に接続されている。
【００２１】
メインＣＰＵ１０は、通常時、メインＲＯＭ１５のプログラムを読み出して実行するが、メインＲＯＭ１５に異常が発生してプログラムの読み出しができなくなると切替部１６を作動させ、バックアップＲＯＭ１４に接続させる。
【００２２】
図２は、第２の本発明を使用した火災報知システムの要部構成の一例を示すブロック図である。
【００２３】
火災受信機Ｒ１では、先の火災受信機Ｒとは、メインユニット１Ａの構成が相違する。すなわち、メインユニット１Ａでは、報知部１１と操作部１２と通信Ｉ／Ｆ１３とが同一の伝送バスＢに接続されており、伝送バスＢには、切替部１６を通じて、バックアップＣＰＵ１０ＡとメインＣＰＵ１０Ｂのいずれかが接続されている。
【００２４】
バックアップＣＰＵ１０Ａは、後述する火災報知において報知部１１より報知をさせる基本機能と、後述する機能パックアップ処理時にサブユニット２に連動制御有効信号を送出する機能とを有する。
【００２５】
また、メインＣＰＵ１０Ｂは、上記基本機能に加えて、操作部１２の操作を受け付ける機能を有する。このようなメインＣＰＵ１０Ｂでは、操作部１２の操作により、火災報知における音響を停止させたり、サブユニット２毎に連動制御の有効／無効の設定操作などができる。
【００２６】
メインＣＰＵ１０Ｂは、通常時、すなわち、メインＣＰＵ１０Ｂに異常がないときには伝送バスＢに接続されており、異常が発生すると切替部１６に異常発生信号（ＷＤＴ信号など）を出力して作動させ、メインＣＰＵ１０Ｂを伝送バスＢから切り離し、サブＣＰＵ１０Ａを伝送バスＢに接続させる。
【００２７】
ここで、メインユニット１，１Ａでは、通常時、すなわち、メインＲＯＭ１５、メインＣＰＵ１０Ｂが使用されているときには、操作部１２の操作により、サブユニット２の連動設定有効／無効の設定ができる。
【００２８】
これについて、図３とともに説明する。メインユニット１，１Ａでは、操作部１２により、サブユニット２毎に連動設定有効／無効の設定ができ（１００）、これを受けたメインＣＰＵ１０，１０Ｂでは、各サブユニット２に対し、連動制御有効信号もしくは連動制御無効信号を送る（１０１）。
【００２９】
これを受けた各サブユニット２は、連動制御有効信号の入力に対しては、連動制御を有効と設定する一方、連動制御無効信号に対しては、連動制御を無効と設定する（１０２）。
【００３０】
このような構成の第１、第２の本発明では、通常時の動作として、図４に示す動作を行う。すなわち、各サブユニット２のＣＰＵ２０は、そのサブユニット２に接続されている火災感知器Ｓから火災信号を受信すると（２００）、連動制御の設定が有効か無効かを判断し（２０１）、有効であれば、接続されている防排煙機器ＥＲや地区音響装置Ｂを作動させる連動制御を行い（２０２）、無効であれば連動制御はせずに、メインユニット１，１Ａに対して火災信号を中継する（２０３）。
【００３１】
中継された火災信号を受信したメインユニット１，１Ａでは、メインＲＯＭ１５、メインＣＰＵ１０Ｂを使用しているので、報知部１１から表示や音響などによる火災報知が行われる（２０４）。
【００３２】
このとき、メインユニット１，１Ａでは、操作部１２における音響停止操作を受け付けるので、音響鳴動停止操作がされると音響鳴動を停止する（２０５，２０６）。
【００３３】
次に、本発明の特徴である、機能バックアップ処理について説明する。図５は、第１の本発明の機能バックアップ処理について説明するためのフローチャートである。
【００３４】
ここでは、メインユニット１では、メインＲＯＭ１５に異常が発生し、メインＣＰＵ１０がメインＲＯＭ１５のプログラムを読み出せなくなると（３００）、切替部１６を作動させて、メインＲＯＭ１５をメインＣＰＵ１０から切り離して、バックアップＲＯＭ１４をメインＣＰＵ１０に接続させる（３０１）。
【００３５】
そして、メインＣＰＵ１０は、バックアップＲＯＭ１４のプログラムにより、全サブユニット２に対して連動制御有効信号を送出し（３０２）、これを受けた全サブユニット２は、連動制御の有効をセットする（３０３）。
【００３６】
図６は、第２の本発明の機能バックアップ処理について説明するためのフローチャートである。
【００３７】
ここでは、メインユニット１Ａでは、メインＣＰＵ１０Ｂに異常が発生すると（４００）、メインＣＰＵ１０Ｂから先述した異常発生信号を送出して切替部１６が作動させて、メインＣＰＵ１０Ｂを伝送バスＢから切り離して、バックアップＣＰＵ１０Ａを伝送バスＢに接続させる（４０１）。
【００３８】
そして、バックアップＣＰＵ１０Ａは、全サブユニット２に対する連動制御有効信号の送出機能を実行する（４０２）。これを受けた全サブユニット２は、連動制御の有効をセットする（４０３）。
【００３９】
このような機能バックアップ処理をした第１、第２の本発明では、図７に示すようなバックアップ時火災報知処理ができる。
【００４０】
すなわち、機能バックアップ処理をした後では、メインユニット１，１Ａでは、バックアップＲＯＭ１４、バックアップＣＰＵ１０Ａが使用されている。
【００４１】
このとき、各サブユニット２のＣＰＵ２０は、そのサブユニット２に接続されている火災感知器Ｓから火災信号を受信すると（５００）、機能バックアップ処理をしたので連動制御の設定が有効であるため、接続されている防排煙機器ＥＲや地区音響装置Ｂを作動させる連動制御を行い（５０１）、メインユニット１，１Ａに対して火災信号を中継する（５０２）。
【００４２】
中継された火災信号を受信したメインユニット１，１Ａでは、バックアップＲＯＭ１４、バックアップＣＰＵ１０Ａを使用しているので、報知部１１から表示や音響などによる火災報知が行われる（５０３）。
【００４３】
なお、このとき、操作部１２の操作は受け付けないので、図４のステップ２０５に示すような音響停止指示操作は無効となる。
【００４４】
ここで、切替部１６は、メインＣＰＵ１０、１０Ｂの制御による自動切替だけには限られず、切替スイッチで構成して手動切り替えできる構成としてもよい。
【００４５】
こうすれば、切替部１６に自動切換をさせるための構成を具備することが必要とならず、切替部１６を簡易に構成することができ、利便である。
【００４６】
【発明の効果】
以上の説明からも理解できるように、本発明の請求項１では、メイン記憶手段に異常が発生すれば、制御手段はメイン記憶手段から切り離されてサブ記憶手段に接続される。
【００４７】
サブ記憶手段には、火災報知において報知手段より報知をさせるための基本プログラムを格納しているので、制御手段はこの基本プログラムに基づいた処理ができるため、火災が発生したときの必要最低限の報知ができ、フェールセーフの観点からも望ましくできる。
【００４８】
請求項２では、メイン制御手段に異常が発生すれば、メイン制御手段は伝送バスから切り離されて、サブ制御手段が伝送バスに接続される。
【００４９】
サブ制御手段は、火災報知において報知手段より報知をさせるための基本機能を有しているので、火災が発生したときの必要最低限の報知ができ、フェールセーフの観点からも望ましくできる。
【００５０】
請求項３では、メインユニットの制御手段は、サブ記憶手段に接続されたときには、サブユニットに対して連動制御の有効信号を送出し、サブユニットは、この連動制御の有効信号を受けたときには、連動制御を有効と設定するので、メイン記憶手段の異常時には、メインユニットでの連動設定のいかんにかかわらず、全サブユニットに対し連動制御の権限を委譲することができる。
【００５１】
そのため、メイン記憶手段に異常が発生しても、必要最小限の連動制御ができ、セキュリティーの観点から望ましい。
【００５２】
請求項４では、メインユニットのサブ制御手段は、伝送バスに接続されたときには、サブユニットに対して連動制御の有効信号を送出し、サブユニットは、この連動制御の有効信号を受けたときには、連動制御を有効と設定するので、メイン制御手段の異常時には、メインユニットでの連動設定のいかんにかかわらず、全サブユニットに対し連動制御の権限を委譲することができる。
【００５３】
そのため、メイン制御手段に異常が発生しても、必要最小限の連動制御ができ、セキュリティーの観点から望ましい。
【００５４】
請求項５では、メインユニットの切替手段は、切替スイッチで構成されており、手動切り替えできる構成としたので、切替部を簡易に構成することができる。
【００５５】
請求項６では、請求項１〜５のいずれかに記載の火災受信機に、１または複数の多重伝送線を接続し、各々の多重伝送線には、火災感知器や防排煙機器などの端末器を接続した構成としているので、請求項１〜５のいずれかの効果を発揮する火災報知システムを提供することができる。
【図面の簡単な説明】
【図１】第１の本発明を使用して構成した火災報知システムの要部構成の一例を示す図である。
【図２】第２の本発明を使用して構成した火災報知システムの要部構成の一例を示す図である。
【図３】サブユニット毎の連動制御有効／無効設定について説明するための図である。
【図４】通常時のシステム動作について説明するための図である。
【図５】第１の本発明の機能バックアップ処理について説明するための図である。
【図６】第２の本発明の機能バックアップ処理について説明するための図である。
【図７】機能バックアップ時の火災報知処理について説明するための図である。
【符号の説明】
Ｒ、Ｒ１・・・火災受信機
１，１Ａ・・・メインユニット
２・・・サブユニット
１０，１０Ｂ・・・メインＣＰＵ
１０Ａ・・・バックアップＣＰＵ
１１・・・報知部
１２・・・操作部
１３・・・通信Ｉ／Ｆ
１４・・・バックアップＲＯＭ
１５・・・メインＲＯＭ
１６・・・切替部
２０・・・ＣＰＵ
Ｂ・・・伝送バス
Ｌ・・・多重伝送線
Ｓ・・・火災感知器
ＥＲ・・・防排煙機器
Ｂ・・・地区音響装置
【図１】
2004145665.tif 000003
【図２】
2004145665.tif 000004
【図３】
2004145665.tif 000005
【図４】
2004145665.tif 000006
【図５】
2004145665.tif 000007
【図６】
2004145665.tif 000008
【図７】
2004145665.tif 000009